(57)【要約】【課題】オイルシール下半部が傾かないように吊りバランスを簡単且つ容易に図りながら、安定した作業でオイルシール下半部を組立・分解できるようにしたことにある。【解決手段】２分割のオイルシール下半部のシールケーシングに有するシールケーシング吊用のネジ穴に螺挿して取付けられるネジ棒１１と、このネジ棒に一端部に有する貫通孔を挿通させて一対のナット１３により適宜位置に固定される腕状の第１のプレート１２と、ネジ棒１１の他端部側に螺挿され吊り掛けられた回転補助ロープの軸方向移動を拘束するフランジ付きナット１４と、第１のプレート１２の他端部側に一端部が回動可能に取付けられた腕状の第２のプレート１６と、この第２のプレートの他端部側にネジ棒１１と平行に固定され、先端部にベアリングブラケット内のベアリング座の側面壁に接触する接触子１９を有するガイド棒２０とからオイルシール下半部支持回転工具１０を構成する。【選択図】図１
2009250344.tif 000002
【特許請求の範囲】
【請求項１】
回転電機の軸受装置におけるベアリングブラケット内の回転軸端側に設けられる２分割のオイルシール下半部の組立及び分解時に用いられる工具であって、
前記オイルシール下半部のシールケーシングに有するシールケーシング吊用のネジ穴に螺挿して取付けられるネジ棒と、
このネジ棒に一端部に有する貫通孔を挿通させて一対のナットにより適宜位置に固定される第１のプレートと、
前記ネジ棒の他端部側に螺挿され吊り掛けられる回転補助ロープの軸方向移動を拘束するフランジ付きナットと、
前記第１のプレートの他端部側に一端部が回動可能に取付けられた第２のプレートと、
この第２のプレートの他端部側に前記ネジ棒と平行に固定され、先端部にベアリングブラケット内のベアリング座の側面壁に接触させる接触子を有するガイド棒と
からなるオイルシール下半部支持回転工具。
【請求項２】
請求項１記載のオイルシール下半部支持回転工具を用いて回転電機の軸受装置における２分割のオイルシール下半部を組立てるに際して、
前記オイルシール下半部支持回転工具におけるネジ棒の一端部側のネジ部をオイルシール下半部のオイルシールケーシングに有するシールケーシング吊用のネジ穴に螺挿して、ベアリングブラケット内の回転軸の周面上にオイルシール下半部を仮置きする第１のステップと、
この第１のステップにより回転軸の周面に沿って配置されたオイルシール下半部の一端部にオイルシール回転工具を取付ける第２のステップと、
前記オイルシール下半部支持回転工具の前記一対のナットを緩めて前記第１のプレートを前記ネジ棒上の適宜位置に移動させる共に、前記第２のプレートを適宜角度回動させ、前記ガイド棒の先端部に有する接触子をベアリングブラケット内のベアリング座の側面壁に押し当てて接触させ、この位置でナットを締付けて第１のプレート及び第２のプレートを固定する第３のステップと、
前記シール下半部支持回転工具におけるネジ棒の他端部側に螺挿されているフランジ付きナットの内側に回転補助ロープを掛けて常に上方に吊上げるように作用させる第４のステップと、
前記オイルシール回転工具により前記シールケーシングを回転軸の表面に沿って回動させることにより、前記オイルシール下半部支持回転工具のガイド棒の先端部に有する接触子を前記ベアリング座の側面壁をガイドに接触移動させ、且つ前記回転補助ロープにより常に上方に吊上げてバランスをとりながらオイルシール下半部を組立てる第５のステップとからなる
回転電機の軸受装置におけるオイルシール組立方法。
【請求項３】
請求項１記載のオイルシール下半部支持回転工具を用いて回転電機の軸受装置における２分割のオイルシール下半部を分解するに際して、
前記ベアリングブラケット内の回転軸の周面上に取付けられたオイルシール下半部のオイルシールケーシングに有するシールケーシング吊用のネジ穴にオイルシール下半部支持回転工具におけるネジ棒の一端部側のネジ部を螺挿する第１のステップと、
この第１のステップにより回転軸の周面に沿って配置されているオイルシール下半部の一端部にオイルシール回転工具を取付ける第２のステップと、
前記オイルシール下半部支持回転工具の前記一対のナットを緩めて前記第１のプレートを前記ネジ棒上の適宜位置に移動させる共に、前記第２のプレートを適宜角度回動させ、前記ガイド棒の先端部に有する接触子をベアリングブラケット内のベアリング座の側面壁に押し当てて接触させ、この位置でナットを締付けて第１のプレート及び第２のプレートを固定する第３のステップと、
前記シール下半部支持回転工具におけるネジ棒の他端部側に螺挿されているフランジ付きナットの内側に回転補助ロープを掛けて常に上方に吊上げるように作用させる第４のステップと、
前記オイルシール回転工具により前記シールケーシングを回転軸の表面に沿って回動させることにより、前記オイルシール下半部支持回転工具のガイド棒の先端部に有する接触子を前記ベアリング座の側面壁をガイドに接触移動させ、且つ前記回転補助ロープにより常に上方に吊上げてバランスをとりながらオイルシール下半部を分解する第５のステップとからなる
回転電機の軸受装置におけるオイルシール分解方法。
【発明の詳細な説明】
【技術分野】
【０００１】
本発明は、回転電機の軸受装置におけるベアリングブラケット内の回転軸端側に設けられる２分割のオイルシール下半部の組立及び分解時に使用されるオイルシール下半部ガイド用回転工具とこの工具を用いたオイルシール下半部の組立及び分解方法に関する。
【背景技術】
【０００２】
水素冷却型タービン発電機等の回転電機の回転軸を支承する軸受装置は、ベアリングブラケット内の回転軸端側にシール部材をシールケーシングに収めたオイルシールが設けられている。
【０００３】
このような軸受装置においては、オイルシールの劣化によりシール効果が損なわれると、オイルや機内の冷却用水素ガスが回転軸との隙間から漏洩するため、オイルシールを分解して新たなオイルシールと交換し、再度組立てる必要がある。
【０００４】
ところで、従来の２分割されたオイルシール下半部の組立及び分解方法としては、次のようにして行っていた。
【０００５】
図４は、従来のオイルシールの組立及び分解方法を説明するための概略的な模式図を示すもので、ここでは２分割のオイルシール下半部を分解して取外した後、新たなオイルシール下半部を取付ける場合について述べる。すなわち、図４に示すように図示しない支持台に支持された回転軸１にシール部材を収めたシールケーシング下半部２ｂを取付ける際、シールケーシング下半部２ｂを図示しないワイヤにより吊上げた状態で、シールケーシング下半部２ｂの一端部に取付けられたオイルシール回転工具４によりシールケーシング下半部２ｂを回転軸１の表面に沿って周方向に回転させ、オイルシール下半部２を取付ける作業を行っていた。
【０００６】
しかし、シールケーシング下半部２ｂを回転軸１の表面に沿って周方向に回転させるとき、吊りバランスが悪いと、オイルシール下半部２が回転軸１に対して傾きが生じ、この傾き角度が著しく大きくなると図５に示すようにシール部材２ａやシールケーシング下半部２ｂの内周面及び回転軸１の表面を損傷する場合がある。
【０００７】
そこで、図４に示すように図示しないベアリングブラケットの室内のベアリング座５とシールケーシング２ｂ下半部との間隙に複数本の角材３を挿入してオイルシールケーシング下半部２ｂが回転軸１に対し傾かないように押付けながら吊りバランスをとるようにしていた。
【０００８】
なお、オイルシール下半部の分解方法については、上述した組立方法とほぼ同様の作業手順なので、ここではその説明を省略する。
【０００９】
因みに、オイルシールの組立方法としては、保護缶と、この保護缶の軸方向端面に摺動自在に接触するリップ部を備えたオイルシール本体とを組付けるオイルシールを対象としたものはあるが（例えば、特許文献１）、回転電機の回転軸を支承する軸受装置のオイルシールを対象とするものではない。
【特許文献１】特願平９−０７９３８５号公報
【発明の開示】
【発明が解決しようとする課題】
【００１０】
しかし、このような従来のオイルシール下半部の組立及び分解方法では、回転軸１にオイルシール下半部２を取付ける際、ベアリングブラケットの室内のシールケーシング下半部２ｂとベアリング座５との間隙に複数本の角材３を挿入してオイルシール下半部２が回転軸に対して傾かないように吊りバランスを図らなければならないため、多くの手間と時間がかかり、作業性が悪いという問題がある。
【００１１】
本発明は上記のような問題を解消するためになされたもので、角材を用いずに回転軸に対してオイルシール下半部が傾かないように吊りバランスを簡単且つ容易に図ることができ、安定した作業を行うことができるオイルシール下半部ガイド用回転工具とこの工具を用いたオイルシール下半部の組立及び分解方法を提供することを目的とする。
【課題を解決するための手段】
【００１２】
上記の目的を達成するため、次のようなオイルシール下半部ガイド用回転工具を構成し、この工具を用いて次のような方法でオイルシール下半部を組立及び分解するものである。
【００１３】
請求項１に対応する発明は、回転電機の軸受装置におけるベアリングブラケット内の回転軸端側に設けられる２分割のオイルシール下半部の組立及び分解時に用いられる工具であって、前記オイルシール下半部のシールケーシングに有するシールケーシング吊用のネジ穴に螺挿して取付けられるネジ棒と、このネジ棒に一端部に有する貫通孔を挿通させて一対のナットにより適宜位置に固定される第１のプレートと、前記ネジ棒の他端部側に螺挿され吊り掛けられる回転補助ロープの軸方向移動を拘束するフランジ付きナットと、前記第１のプレートの他端部側に一端部が回動可能に取付けられた第２のプレートと、この第２のプレートの他端部側に前記ネジ棒と平行に固定され、先端部にベアリングブラケット内のベアリング座の側面壁に接触させる接触子を有するガイド棒とからオイルシール下半部支持回転工具を構成する。
【００１４】
請求項２に対応する発明は、請求項１記載のオイルシール下半部支持回転工具を用いて回転電機の軸受装置における２分割のオイルシール下半部を組立てるに際して、前記オイルシール下半部支持回転工具におけるネジ棒の一端部側のネジ部をオイルシール下半部のオイルシールケーシングに有するシールケーシング吊用のネジ穴に螺挿して取付けて、ベアリングブラケット内の回転軸の周面上にオイルシール下半部を仮置きする第１のステップと、この第１のステップにより回転軸の周面に沿って配置されたオイルシール下半部の一端部にオイルシール回転工具を取付ける第２のステップと、前記オイルシール下半部支持回転工具の前記一対のナットを緩めて前記第１のプレートを前記ネジ棒上の適宜位置に移動させる共に、前記第２のプレートを適宜角度回動させ、前記ガイド棒の先端部に有する接触子をベアリングブラケット内のベアリング座の側面壁に押し当てて接触させ、この位置でナットを締付けて第１のプレート及び第２のプレートを固定する第３のステップと、前記シール下半部支持回転工具におけるネジ棒の他端部側に螺挿されているフランジ付きナットの内側に回転補助ロープを掛けて常に上方に吊上げるように作用させる第４のステップと、前記オイルシール回転工具により前記シールケーシングを回転軸の表面に沿って回動させることにより、前記オイルシール下半部支持回転工具のガイド棒の先端部に有する接触子を前記ベアリング座の側面壁をガイドにして接触移動させ、且つ前記回転補助ロープにより常に上方に吊上げてバランスをとりながらオイルシール下半部を組立てる第５のステップとからなる。
【００１５】
請求項３に対応する発明は、請求項１に対応する発明のオイルシール下半部支持回転工具を用いて回転電機の軸受装置におけるオイルシールを分解するに際して、前記ベアリングブラケット内の回転軸の周面上に取付けられたオイルシールの下半部のオイルシールケーシングに有するシールケーシング吊用のネジ穴にオイルシール下半部支持回転工具におけるネジ棒の一端部側のネジ部を螺挿する第１のステップと、この第１のステップにより回転軸の周面に沿って配置されているオイルシールの下半部の一端部にオイルシール回転工具を取付ける第２のステップと、前記オイルシール下半部支持回転工具の前記一対のナットを緩めて前記第１のプレートを前記ネジ棒上の適宜位置に移動させる共に、前記第２のプレートを適宜角度回動させ、前記ガイド棒の先端部に有する接触子をベアリングブラケット内のベアリング座の側面壁に押し当てて接触させ、この位置でナットを締付けて第１のプレート及び第２のプレートを固定する第３のステップと、前記シール下半部支持回転工具におけるネジ棒の他端部側に螺挿されているフランジ付きナットの内側に回転補助ロープを掛けて常に上方に吊上げるように作用させる第４のステップと、前記オイルシール回転工具により前記シールケーシングを回転軸の表面に沿って回動させることにより、前記オイルシール下半部支持回転工具のガイド棒の先端部に有する接触子を前記ベアリング座の側面壁をガイドに接触移動させ、且つ前記回転補助ロープにより常に上方に吊上げてバランスをとりながらオイルシール下半部を分解する第５のステップとからなる。
【発明の効果】
【００１６】
本発明によれば、角材を用いずに回転軸に対してオイルシール下半部が傾かないように吊りバランスを簡単且つ容易に図ることができ、安定した作業を行うことができる。
【発明を実施するための最良の形態】
【００１７】
以下本発明の実施形態について図面を参照して説明する。
【００１８】
図１はオイルシールの組立及び分解時に使用されるオイルシール下半部ガイド用回転工具を示す構成図である。
【００１９】
図１に示すオイルシール下半部支持回転工具１０は、適宜長さのネジ棒１１と、このネジ棒１１に一端部に有する貫通孔を挿通させて設けられた腕状の第１のプレート１２と、この第１のプレート１２をその両側からネジ棒１１の適宜位置に固定する一対のナット１３と、ネジ棒１１の他端部側に螺挿されたフランジ付きナット１４と、第１のプレート１２の他端部側に一端部が回動可能にボルト１５により取付けられた腕状の第２のプレート１６と、この第２のプレート１６の他端部側にボルト１７及びナット１８によりネジ棒１１と平行に固定され、先端部に例えばテフロン（登録商標）からなる接触子１９を有するガイド棒２０とから構成されている。
【００２０】
次にこのような構成のオイルシール下半回転工具１０を用いてオイルシールの組立及び分解方法を図２及び図３により説明するに、ここではオイルシールを分解して取外した後、新たなオイルシールを取付ける場合について述べる。
【００２１】
図２はオイルシールの組立方法を説明するための概略的な模式図である。
【００２２】
まず、オイルシール下半部支持回転工具１０におけるネジ棒１１の一端部側のネジ部をオイルシール下半部のオイルシールケーシング２ｂに有するシールケーシング吊用のネジ穴に螺挿して取付け、この状態で図３に示すようにベアリングブラケット２１内の回転軸１の周面上にオイルシール下半部２を仮置きする。
【００２３】
さらに、回転軸１の周面に沿って配置されたオイルシール回転工具４をオイルシール下半部２の一端部に取付ける。
【００２４】
次にオイルシール下半部支持回転工具１０において、一対のナット１３を緩めて第１のプレート１２をネジ棒１１上の適宜位置に移動させる共に、ボルト１５を中心に第２のプレート１６を適宜角度回動させ、ガイド棒２０の先端部に有する接触子１９を図３に示すようにベアリングブラケット２１内のベアリング座２２の側面壁２３に押し当てて接触させ、この位置でナット１３を締付けて第１のプレート１２及び第２のプレート１６を固定する。
【００２５】
また、シール下半部支持回転工具１０におけるネジ棒１１の他端部側に螺挿されているフランジ付きナット１４の内側に回転補助ロープ２４を掛けて常に上方に吊上げるように作用させる。
【００２６】
このような状態でシールケーシング２ｂの一端部に取付けられたオイルシール回転工具４によりシールケーシング２ｂを回転軸１の表面に沿って周方向に回動させると、オイルシール下半部支持回転工具１０のガイド棒２０の先端部に有する接触子１９は、シールケーシング２ｂの回動に連動してベアリング座２２の側面壁２３にガイドされながら接触した状態で移動する。
【００２７】
このとき、シール下半部支持回転工具１０におけるネジ棒１１は、回転補助ロープ２４により常に上方に吊上げるように作用しているので、オイルシール２は回転軸１に対して傾くことなく、常に平行に安定した状態に維持される。
【００２８】
従って、オイルシール下半部支持回転工具１０を用いることにより回転軸１に対してオイルシール２の傾きを防ぐことができるので、吊りバランスを簡単且つ容易に図ることができ、シール部材２ａやシールケーシング２ｂの内周面及び回転軸１の表面を損傷することなく、安定した組立作業を行うことができる。
【００２９】
なお、上記ではオイルシール下半部の組立方法について述べたが、オイルシール下半部を分解する場合にも、上述したシール下半部支持回転工具１０を用いて組立方法とほぼ同様の作業手順でオイルシールを取外すことにより、安定した分解作業を行うことができる。
【図面の簡単な説明】
【００３０】
【図１】本発明の第１の実施形態を示すオイルシール下半部ガイド用回転工具を示す構成図。
【図２】同実施形態のオイルシール下半部ガイド用回転工具を用いてオイルシール下半部の組立方法を説明するための外観図。
【図３】同じくオイルシール下半部ガイド用回転工具のガイド棒の先端部に有する接触子をベアリングブラケット内のベアリング座の側面壁に押し当てて接触させた状態を示す断面図。
【図４】従来のオイルシール下半部の取付け・取外し作業状況を説明するための模式図。
【図５】同作業において、オイルシールが傾いた状態を示す図。
【符号の説明】
【００３１】
１…回転軸、２…オイルシール下半部、２ａ…シール部材、２ｂ…オイルシールケーシング下半部、４…オイルシール回転工具、１０…オイルシール下半部支持回転工具、１１…ネジ棒、１２…第１のプレート、１３，１８…ナット、１４…フランジ付きナット、１５，１７…ボルト、１６…第２のプレート、１９…接触子、２０…ガイド棒、２１…ベアリングブラケット、２２…ベアリング座、２３…側面壁、２４…回転補助ロープ
【図１】
2009250344.tif 000003
【図２】
2009250344.tif 000004
【図３】
2009250344.tif 000005
【図４】
2009250344.tif 000006
【図５】
2009250344.tif 000007